【事件の表示】
　国際登録第７４３４０４号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、別掲のとおりの構成よりなり、第４類、第７類、第１２類、第２５類、第２８類、第３７類及び第４１類に属する国際登録において指定された商品及び役務を指定商品及び指定役務として、２０００年５月９日にＧｅｒｍａｎｙにおいてした商標登録出願に基づいてパリ条約第４条による優先権を主張し、２０００年（平成１２年）９月４日を国際登録の日とするものである。そして、指定商品及び指定役務については、２００３年１０月３日にされた商品及び役務の限定により、第４類「Ｉｎｄｕｓｔｒｉａｌ　ｇｒｅａｓｅ　ａｎｄ　ｏｉｌ；ｌｕｂｒｉｃａｎｔｓ；ｄｕｓｔ　ｌａｙｉｎｇ　ｃｏｍｐｏｓｉｔｉｏｎｓ；ｆｕｅｌ（ｉｎｃｌｕｄｉｎｇ　　ｍｏｔｏｒ　ｆｕｅｌ）ａｎｄ　ｌｉｇｈｔｉｎｇ　ｆｕｅｌ；ｃａｎｄｌｅｓ，ｗｉｃｋｓ　ｆｏｒ　ｃａｎｄｌｅｓ．」、第７類「Ｍｅｔａｌ　ｗｏｏｄ，ｐｌａｓｔｉｃｓ　ｗｏｒｋｉｎｇ　ｍａｃｈｉｎｅｓ，ｒｅｐａｉｒｉｎｇ　ｆｉｘｉｎｇ　ｍａｃｈｉｎｅｓ　ａｎｄ　ａｐｐａｒａｔｕｓ，ｃｈｅｍｉｃａｌ　ｐｒｏｃｅｓｓｉｎｇ　ｍａｃｈｉｎｅｓ　ａｎｄ　ａｐｐａｒａｔｕｓ，ａｇｒｉｃｕｌｔｕｒａｌ　ｍａｃｈｉｎｅｓ　ａｎｄ　ａｐｐａｒａｔｕｓ，ｍｉｎｉｎｇ　ｍａｃｈｉｎｅｓ　ａｎｄ　ａｐｐａｒａｔｕｓ，ｔｅｘｔｉｌｅ　ｍａｃｈｉｎｅｓ　ａｎｄ　ａｐｐａｒａｔｕｓ，ｆｏｏｄ　ｏｒ　ｂｅｖｅｒａｇｅ　ｐｒｏｃｅｓｓｉｎｇ　ｍａｃｈｉｎｅｓ　ａｎｄ　ａｐｐａｒａｔｕｓ，ｃｏｎｓｔｒｕｃｔｉｏｎ　ｍａｃｈｉｎｅｓ　ａｎｄ　ａｐｐａｒａｔｕｓ，ｐａｃｋａｇｉｎｇ　ｏｒ　ｗｒａｐｐｉｎｇ　ｍａｃｈｉｎｅｓ　ａｎｄ　ａｐｐａｒａｔｕｓ；ｍｏｔｏｒｓ　ｏｔｈｅｒ　ｔｈａｎ　ｆｏｒ　ｌａｎｄ　ｖｅｈｉｃｌｅｓ，ｍｏｔｏｒ　ｐａｒｔｓ　ｆｏｒ　ｍｏｔｏｒｓ　ｏｆ　ａｌｌ　ｋｉｎｄ，ｉｎｃｌｕｄｉｎｇ　ｆｉｌｔｅｒｓ　ｆｏｒ　ｃｌｅａｎｉｎｇ　ｃｏｏｌｉｎｇ　ａｉｒ（ｆｏｒ　ｅｎｇｉｎｅｓ），ｇｌｏｗ　ｐｌｕｇｓ　ｆｏｒ　Ｄｉｅｓｅｌ　ｅｎｇｉｎｅｓ；ｍａｃｈｉｎｅ　ｃｏｕｐｌｉｎｇ　ａｎｄ　ｔｒａｎｓｍｉｓｓｉｏｎ　ｃｏｍｐｏｎｅｎｔｓ（ｅｘｃｅｐｔ　ｆｏｒ　ｌａｎｄ　ｖｅｈｉｃｌｅｓ），ｉｎｃｌｕｄｉｎｇ　ｃｌｕｔｃｈｅｓ　ｏｔｈｅｒ　ｔｈａｎ　ｆｏｒ　ｌａｎｄ　ｖｅｈｉｃｌｅｓ，ｐｏｗｅｒ−ｏｐｅｒａｔｅｄ　ｊａｃｋｓ；ｌａｗｎ　ｍｏｗｅｒｓ；ａｇｒｉｃｕｌｔｕｒａｌ　ｉｍｐｌｅｍｅｎｔｓ　ｏｔｈｅｒ　ｔｈａｎ　ｂａｎｄ　ｏｐｅｒａｔｅｄ；ｉｎｃｕｂａｔｏｒｓ　ｆｏｒ　ｅｇｇｓ．」、第１２類「Ａｉｒｃｒａｆｔ，ａｕｔｏｍｏｂｉｌｅｓ，ｂｉｃｙｃｌｅｓ，ｍｏｔｏｒｃｙｃｌｅｓ，ｒｏｌｌｉｎｇ　ｓｔｏｃｋ　ｆｏｒ　ｒａｉｌｗａｙｓ，ｓｈｉｐｓ，ｉｎｃｌｕｄｉｎｇ　ｔｈｅｉｒ　ｐａｒｔｓ；ｅｎｇｉｎｅｓ　ｆｏｒ　ｌａｎｄ　ｖｅｈｉｃｌｅｓ．」、第２５類「Ｃｌｏｔｈｉｎｇ（ｅｘｃｌｕｄｉｎｇ　Ｊａｐａｎｅｓｅ　ｔｒａｄｉｔｉｏｎａｌ　ｃｌｏｔｈｉｎｇ），ｆｏｏｔｗｅａｒ，ｈｅａｄｇｅａｒ　ｆｏｒ　ｗｅａｒ　ｉｎｃｌｕｄｉｎｇ　ｔ−ｓｈｉｒｔｓ，ｐｏｌｏ　ｓｈｉｒｔｓ，ｃｏａｔｓ，ｊａｃｋｅｔｓ（ｃｌｏｔｈｉｎｇ），ｃｏｍｂｉｎａｔｉｏｎｓ（ｃｌｏｔｈｉｎｇ），ｃａｐｓ（ｈｅａｄｗｅａｒ），ｇｌｏｖｅｓ（ｃｌｏｔｈｉｎｇ），ｓｈｏｅｓ，ｎｅｃｋｅｒｃｈｉｅｆｓ，ｎｅｃｋｔｉｅｓ，ｓｃａｒｖｅｓ，ｓｈａｗｌｓ．」、第２８類「Ｇａｍｅｓ　ａｎｄ　ｐｌａｙｔｈｉｎｇｓ；ｇｙｍｎａｓｔｉｃ　ａｎｄ　ｓｐｏｒｔｉｎｇ　ａｒｔｉｃｌｅｓ　ｉｎｃｌｕｄｅｄ　ｉｎ　ｔｈｉｓ　ｃｌａｓｓ　ｉｎｃｌｕｄｉｎｇ　ｓｃａｌｅ　ｍｏｄｅｌ　ｖｅｈｉｃｌｅｓ，ｅｓｐｅｃｉａｌｌｙ　ｓｃａｌｅ　ｍｏｄｅｌ　ｃａｒｓ，ｂａｌｌｓ，ｐｌｕｓｈ　ｔｏｙｓ，ａｐｐａｒａｔｕｓ　ｆｏｒ　ｅｌｅｃｔｒｏｎｉｃ　ｇａｍｅｓ　ｏｔｈｅｒ　ｔｈａｎ　ｔｈｏｓｅ　ａｄａｐｔｅｄ　ｆｏｒ　ｕｓｅ　ｗｉｔｈ　ｔｅｌｅｖｉｓｉｏｎ　ｒｅｃｅｉｖｅｒｓ　ｏｎｌｙ，ｏｒｎａｍｅｎｔｓ　ｆｏｒ　ｃｈｒｉｓｔｍａｓ　ｔｒｅｅｓ（ｅｘｃｅｐｔ　ｉｌｌｕｍｉｎａｔｉｏｎ　ａｒｔｉｃｌｅｓ　ａｎｄ　ｃｏｎｆｅｃｔｉｏｎｅｒｙ）．」、第３７類「Ｃｏｎｓｔｒｕｃｔｉｏｎ，ｒｅｐａｉｒ，ｓｅｒｖｉｃｉｎｇ，ｄｉｓｍａｎｔｌｉｎｇ，ｃｌｅａｎｉｎｇ，ｍａｉｎｔｅｎａｎｃｅ　ａｎｄ　ｖａｒｎｉｓｈｉｎｇ　ｏｆ　ｖｅｈｉｃｌｅｓ，ｍｏｔｏｒｓ　ａｎｄ　ｔｈｅｉｒ　ｐａｒｔｓ　ｉｎｃｌｕｄｉｎｇ　ｖｅｈｉｃｌｅｓ　ｒｅｐａｉｒ　ｉｎ　ｔｈｅ　ｃｏｕｒｓｅ　ｏｆ　ｖｅｈｉｃｌｅ　ｂｒｅａｋｄｏｗｎ　ｓｅｒｖｉｃｅ．」及び第４１類「Ｔｅａｃｈｉｎｇ；ｅｄｕｃａｔｉｏｎ　ｉｎｆｏｒｍａｔｉｏｎ；ｅｎｔｅｒｔａｉｎｍｅｎｔ；ｓｐｏｒｔ　ａｃｔｉｖｉｔｉｅｓ；ａｒｒａｎｇｉｎｇ　ａｎｄ　ｃｏｎｄｕｃｔｉｎｇ　ｏｆ　ｃｏｎｆｅｒｅｎｃｅｓ，ｃｏｎｇｒｅｓｓｅｓ，ｓｙｍｐｏｓｉｕｍｓ；ｅｎｔｅｒｔａｉｎｅｒ　ｓｅｒｖｉｃｅｓ；ｏｒｇａｎｉｚａｔｉｏｎ　ｏｆ　ｓｈｏｗｓ（ｉｍｐｒｅｓａｒｉｏ　ｓｅｒｖｉｃｅｓ）；ａｒｒａｎｇｉｎｇ　ａｎｄ　ｃｏｎｄｕｃｔｉｎｇ　ｏｆ　ｓｅｍｉｎａｒｓ；ｐｒｏｄｕｃｔｉｎｇ　ｏｆ　ｓｈｏｗｓ；ｏｒｇａｎｉｚａｔｉｏｎ　ｏｆ　ｅｘｈｉｂｉｔｉｏｎｓ　ｆｏｒ　ｃｕｌｔｕｒａｌ　ｏｒ　ｅｄｕｃａｔｉｏｎａｌ　ｐｕｒｐｏｓｅｓ；ｐｒｏｖｉｄｉｎｇ　ｃｉｎｅｍａ　ｆａｃｉｌｉｔｉｅｓ；ｐｒｅｓｅｎｔａｔｉｏｎ　ｏｆ　ｌｉｖｅ　ｐｅｒｆｏｒｍａｎｃｅ；ｐｒｏｖｉｄｉｎｇ　ｍｕｓｅｕｍ　ｆａｃｉｌｉｔｉｅｓ（ｐｒｅｓｅｎｔａｔｉｏｎ，ｅｘｈｉｂｉｔｉｏｎｓ）；ｏｒｃｈｅｓｔｒａ　ｓｅｒｖｉｃｅｓ；ｏｒｇａｎｉｚａｔｉｏｎ　ｏｆ　ｓｐｏｒｔｓ　ｃｏｍｐｅｔｉｔｉｏｎｓ；ｇａｍｉｎｇ．」となったものである。
２　査定の拒絶理由の要点
　原査定は、「本願商標は、登録第７４２６７０号商標（以下「引用商標」という。）と同一又は類似であって、同一又は類似の商品について使用をするものであるから、商標法第４条第１項第１１号に該当する。また、本願の指定商品及び指定役務中には、その表示が不明確なものがあるから、商標法第６条第１項の要件を具備しない。」旨認定、判断し、本願を拒絶したものである。
３　当審の判断
　本願商標は、その指定商品について前記１のとおり限定され、また、引用商標の商標権は、商標登録原簿の記載によれば、取消審判の請求があった結果、その指定商品中「セーター類，ワイシャツ類，下着，ねまき類，くつ下，たび，手袋（ゴム手袋，絶縁用ゴム手袋を含む。）えりまき，マフラー，スカーフ，ネッカチーフ，ショール，ネクタイ，ゲートル，たびカバー，エプロン，おしめ，帽子，ナイトキャップ，ずきん，ヘルメット，すげがさ，頭から冠る防虫網及びこれらの類似商品」について、その登録を取り消す旨の審決が平成１５年４月２８日に確定し、その登録が同年５月２８日にされたものである。
　その結果、本願商標の指定商品と、引用商標の指定商品とは互いに抵触しないものとなった。
　また、前記１の商品及び役務の限定により、本願の指定商品及び指定役務は、商標法第６条第１項の要件を具備するものとなった。
　したがって、本願商標が商標法第４条第１項第１１号に該当するとし、かつ、同法第６条第１項の要件を具備しないとした原査定の拒絶理由は解消した。
　その他、政令で定める期間内に本願を拒絶すべき理由を発見しない。
　よって、結論のとおり審決する。